(57)【要約】【課題】止水不良の発生を防止するため、２個の電磁弁３，４を直列に設けると、ウォータハンマーなどによって電磁弁の閉弁方向に高水圧が作用すると、弁体がその高水圧によって弁座に押し付けられ、弁体が開弁できなくなる。また、両電磁弁３，４を連結する中間水供給路２２内に水が溜まったままになると、冬期など外気温の低温時にブロック２の表面からブロック２が冷却され、最後に中間水供給路２２に溜まっている水が凍結する。水が凍結する際に膨張するので、その凍結時の膨張に序ってブロック２が破損するおそれが生じる。【解決手段】両電磁弁３，４に各々並列に第１リリーフバルブ６と第２リリーフバルブ７とを接続するとともに、第２リリーフバルブ７を中間水供給路２２に接続する分岐路７１を、中間水供給路２２の略中央部分に連結し、最後に凍結する部分から水圧を下流水供給路２３に逃がすようにした。【選択図】  図１
2008121289.tif 000002
【特許請求の範囲】
【請求項１】
水供給路に直列に２個の電磁弁が取り付けられた給水装置において、上流側電磁弁に対して並列に取り付けられ、上流側電磁弁の上流側に接続された上流水供給路に所定の水圧を超える高水圧が作用した場合に開弁して、上流側電磁弁と下流電磁弁とを連通する中間水供給路に圧力を逃がす第１リリーフバルブと、下流側電磁弁に対して並列に取り付けられ、中間水供給路に所定の水圧を超える高水圧が作用した場合に開弁して、下流側電磁弁の下流側に接続された下流水供給路に圧力を逃がす第２リリーフバルブとを設けたことを特徴とする給水装置。
【請求項２】
上記上流側電磁弁と下流側電磁弁とは、１個のマニホールドブロックに取り付けられており、上記中間水供給路はこのマニホールドブロックの略中間部分に形成されると共に、上記第２リリーフバルブはこの中間水供給路の略中央部分に連結されたことを特徴とする請求項１に記載の給水装置。
【発明の詳細な説明】
【技術分野】
【０００１】
本発明は、給湯装置に用いられ、湯水が流れる水供給路を開閉する給水装置に関する。
【背景技術】
【０００２】
従来のこの種の給水装置として、例えばパイロット弁と呼ばれる電磁弁で構成されたものが知られている（例えば、特許文献１参照）。ただし、電磁弁が一連であれば弁体と弁座との間にゴミなどが挟まると止水不良が生じるおそれがある。そこで、２個の電磁弁を直列に連結して２連とし、止水不良が生じないように構成することが行われている。
【０００３】
具体的には、上流側電磁弁と下流側電磁弁とを中間水供給路を介して連結することにより２個の電磁弁を直列に連結している。
【特許文献１】特開２００５−１７２０７０号公報（図１）
【発明の開示】
【発明が解決しようとする課題】
【０００４】
ウォータハンマーなどによって、電磁弁の１次側、すなわち閉弁方向に高水圧が作用すると、弁体がその高水圧によって弁座に押し付けられ、弁体が開弁できなくなるという不具合が生じる。
【０００５】
そこで本発明は、上記の問題点に鑑み、直列に連結された２個の電磁弁の双方共に確実に開弁することができる給水装置を提供することを課題とする。
【課題を解決するための手段】
【０００６】
上記課題を解決するために本発明による給水装置は、水供給路に直列に２個の電磁弁が取り付けられた給水装置において、上流側電磁弁に対して並列に取り付けられ、上流側電磁弁の上流側に接続された上流水供給路に所定の水圧を超える高水圧が作用した場合に開弁して、上流側電磁弁と下流電磁弁とを連通する中間水供給路に圧力を逃がす第１リリーフバルブと、下流側電磁弁に対して並列に取り付けられ、中間水供給路に所定の水圧を超える高水圧が作用した場合に開弁して、下流側電磁弁の下流側に接続された下流水供給路に圧力を逃がす第２リリーフバルブとを設けたことを特徴とする。
【０００７】
上流側電磁弁の１次側に高水圧が作用した場合には、第１リリーフバルブによってその高水圧を２次側である中間水供給路に逃がす。ただし、中間水供給路は下流側電磁弁の１次側になるので、逃がされた高水圧によって下流側電磁弁が開きにくくなる。そこで、下流側電磁弁の１次側に作用する高水圧を第２リリーフバルブによって更に下流の下流水供給路に逃がすようにした。
【０００８】
なお、中間水供給路内の水圧は上流水供給路から逃がされた水圧によって高水圧になる場合の他、冬期に水供給路内の水が凍結して高水圧になる場合がある。
【０００９】
上記上流側電磁弁と下流側電磁弁とは、１個のマニホールドブロックに取り付けられており、上記中間水供給路はこのマニホールドブロックの略中間部分に形成されている場合には、中間水供給路内の水が最後に凍結する。特に中間水供給路の略中央部分が最後に凍結するので、上記第２リリーフバルブをこの中間水供給路の略中央部分に連結することが望ましい。
【発明の効果】
【００１０】
以上の説明から明らかなように、本発明は、両電磁弁に作用する高水圧を２個のリリーフバルブで逃がすようにしたので、電磁弁の開弁が水圧によって阻害されることが無く、そのため、両電磁弁共に確実に開弁させることができる。
【発明を実施するための最良の形態】
【００１１】
図１を参照して、１は本発明による給水装置である。この給水装置１は、樹脂製のマニホールドブロック（以下、ブロックという）と、このブロック２に取り付けられた２個の電磁弁３，４とから構成されている。電磁弁３はパイロット式の電磁弁である。なお、補助電磁弁５は電磁弁４の開弁に先立って、電磁弁４の１次側の圧力を低下することにより、小さな力で電磁弁４の開弁を可能にするためのものであり、これにより電磁弁４に内蔵されているアクチュエータとして小型のものを使用することができる。
【００１２】
ブロック２には電磁弁３の１次側に連通する上流水供給路２１が設けられており、この上流水供給路２１からブロック２内へと湯水が流入する。電磁弁３が開弁している状態であれば、流入した湯水は電磁弁３を通過して中間水供給路２２に流入する。この中間水供給路２２は電磁弁４の１次側に連結されており、電磁弁４が開弁してる状態であれば、湯水は中間水供給路２２から更に下流水供給路２３へと流入し、この下流水供給路２３からブロック２の外へ流出する。
【００１３】
電磁弁３には電磁弁３と並列して上流水供給路２１と中間水供給路２２とに跨って第１リリーフバルブ６が取り付けられている。具体的には、上流水供給路２１に連通する分岐路６１が第１リリーフバルブ６に連結され、第１リリーフバルブ６から合流路６２を介して中間水供給路２２に連結されている。
【００１４】
一方、中間水供給路２２の略中央部分には分岐路７１が設けられており、この分岐路７１は第２リリーフバルブ７に連結されている。そして、第２リリーフバルブ７は合流路７２を介して下流水供給路２３に連結されている。
【００１５】
以上の構成によれば、例えば給水装置１の上流側でウォータハンマーが生じて高水圧が電磁弁３の１次側に作用しても、その高水圧は第１リリーフバルブ６を通って中間水供給路２２に逃がされる。すると、中間水供給路２２の水圧が高水圧になるが、第２リリーフバルブ７が開弁して、高水圧は下流水供給路２３に逃がされる。その結果、給水装置１の上流側から高水圧が作用しても、給水装置１の下流へと高水圧が逃がされ、両電磁弁３，４には高水圧が作用しない。そのため、両電磁弁３，４の開弁をスムーズに行うことができる。
【００１６】
また、冬期など外気温が低下する状態で、長時間通水がないと、中間水供給路２２に閉じこめられている水が凍結する場合が生じる。水が凍結すると体積が膨張するので、ブロック２が破損するおそれが生じる。
【００１７】
しかしながら、上記構成の給水装置１ではブロック２が破損するおそれがない。すなわち、中間水供給路２２内の水は外気に近い両端側から凍結し、中央部分が最後に凍結する。中間水供給路２２の略中央部分には分岐路７１が連結されているので、中間水供給路２２内の圧力が凍結の進行にともなって上昇しても、第２リリーフバルブ７が開弁して下流水供給路２３に高水圧が逃がされ、中間水供給路２２内の水圧はブロック２を破損するまでには高まることがない。
【００１８】
なお、本発明は上記した形態に限定されるものではなく、本発明の要旨を逸脱しない範囲内において種々の変更を加えてもかまわない。
【図面の簡単な説明】
【００１９】
【図１】本発明の一実施の形態の構成を示す図
【符号の説明】
【００２０】
１ 給水装置
２ ブロック
３ 電磁弁
４ 電磁弁
５ 補助電磁弁
６ 第１リリーフバルブ
７ 第２リリーフバルブ
２１ 上流水供給路
２２ 中間水供給路
２３ 下流水供給路
６１ 分岐路
６２ 合流路
７１ 分岐路
７２ 合流路
【図１】
2008121289.tif 000003